【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
アクチュエータを有するカメラアクセサリに設けられた第２のマウント部と結合可能な第１のマウント部を有し当該結合されたカメラアクセサリと通信することが可能なカメラであって、
前記第１のマウント部は、複数の第１のバヨネット爪を有し、該複数の第１のバヨネット爪の間に前記第２のマウント部に設けられた第２のバヨネット爪が挿入された第１の状態から前記第２のマウント部と相対回転されることにより、前記第１のバヨネット爪と前記第２のバヨネット爪とが係合して前記第２のマウント部との結合を完了する第２の状態となり、
前記第２のマウント部に設けられた第２の接点保持部は、前記第２および第１のマウント部の相対回転方向に第１、第２、第３の接点面を当該第１、第２、第３の接点面の順に隣り合って配置して保持し、
前記第１のマウント部に設けられた第１の接点保持部は、前記相対回転方向に配置された第１、第２、第３の接点ピンを当該第１、第２、第３の接点ピンの順に隣り合って配置し突出引込み方向に移動可能に保持し、
前記第２の状態において、前記第１、第２、第３の接点ピンと前記第１、第２、第３の接点面とがそれぞれ接触することで該カメラと前記カメラアクセサリとが電気的に接続されるようになっており、
前記第１の状態から前記第２の状態に移行する際に、前記第３の接点ピンが前記第１の接点面、前記第２の接点面に接触し、前記第２の接点ピンが前記第１の接点面に接触し、さらに、前記第１の接点ピンが前記第２、第３の接点面に接触しないよう前記第１、第２、第３の接点ピンが配され、
前記第１の接点ピンはカメラアクセサリの結合に伴う信号の変化の検出に対応するピンであり、前記第２の接点ピンは結合されたカメラアクセサリとの通信電力の供給に対応するピンであり、前記第３の接点ピンは前記カメラアクセサリが有するアクチュエータへの駆動力の供給に対応するピンであることを特徴とするカメラ。
【請求項２】
前記第１のマウント部には、前記第３の接点ピンを挟んで前記第２の接点ピンと反対側に第４の接点ピンを配し、当該第４の接点ピンは前記第３の接点ピンと対応してグランドレベルに接続するピンであることを特徴とする請求項１に記載のカメラ。
【請求項３】
前記第３の接点ピンを挟んで前記第２の接点ピンと反対側に第５の接点ピンを配するとともに、前記第５の接点ピンを挟んで前記第３のピンと反対側に第６の接点ピンを配し、当該第５の接点ピンは結合されたカメラアクセサリとの通信に対応するピンであり、前記第６の接点ピンは前記第２の接点ピンと対応してグランドレベルに接続するピンであることを特徴とする請求項１または２に記載のカメラ。
【請求項４】
前記第６の接点ピンを挟んで前記第５の接点ピンと反対側に第７の接点ピンがあり、当該第７のカメラ側接点ピンは結合されたカメラアクセサリの種別の判断に対応するピンであることを特徴とする請求項３に記載のカメラ。
【請求項５】
前記第１のマウント部に設けられた第１の接点保持部は、前記相対回転方向に配置された第１、第２、第３の接点ピンを突出引込み方向に移動可能に保持することを特徴とする請求項１乃至４のいずれか１項に記載のカメラ。
【請求項６】
前記第１の接点面はカメラとの結合に伴う信号の変化をカメラが検出するための接点面であることを特徴とする請求項１乃至５のいずれか１項に記載のカメラ。
【請求項７】
カメラに設けられた第１のマウント部に結合可能な第２のマウント部を有するカメラアクセサリであって、
光学部材を移動させるためのアクチュエータを備え、
前記第２のマウント部は、第２のバヨネット爪を有し、該第２のバヨネット爪が前記第１のマウント部に設けられた複数の第１のバヨネット爪の間に挿入された第１の状態から前記第１のマウント部と相対回転されることにより、前記第２のバヨネット爪と前記第１のバヨネット爪とが係合して前記第１のマウント部との結合を完了する第２の状態となり、
前記第２のマウント部に設けられた第２の接点保持部は、前記第２および第１のマウント部の相対回転方向に第１、第２、第３の接点面を当該第１、第２、第３の接点面の順に隣り合って配置して保持し、
前記第２の状態において、前記第１、第２、第３の接点面と、第１のマウント部に保持された第１、第２、第３の接点ピンとがそれぞれ接触することで該カメラアクセサリと前記カメラとが電気的に接続されるようになっており、
前記第１の状態から前記第２の状態に移行する際に、前記第１の接点面が前記第３の接点ピン、前記第２の接点ピンに接触するとともに、前記第２の接点面が前記第３の接点ピンに接触するように、前記第１、第２、第３の接点面が配され、
前記第１の接点面はカメラとの結合を検出するための接点面であり、前記第２の接点面は結合されたカメラからの通信電力の供給を受ける接点面であり、前記第３の接点面は結合されたカメラから前記アクチュエータの駆動力の供給を受ける接点面であることを特徴とするカメラアクセサリ。
【請求項８】
前記第２のマウント部には、前記第３の接点面を挟んで前記第２の接点面と反対側に第４の接点面を配し、当該第４の接点面は前記第３の接点面と対応して接地するピンであることを特徴とする請求項７に記載のカメラアクセサリ。
【請求項９】
前記第３の接点面を挟んで前記第２の接点面と反対側に第５の接点面を配するとともに、前記接点面を挟んで前記第３の接点面と反対側に第６の接点面を配し、当該第５の接点面は結合されたカメラとの通信に対応する面であり、前記第６の接点面は前記第２の接点面と対応して接地する接点面であることを特徴とする請求項７または８に記載のカメラアクセサリ。
【請求項１０】
前記第６の接点面を挟んで前記第５の接点面と反対側に第７の接点面があり、当該第７の接点面は結合されたカメラアクセサリの種別のカメラの判断に対応する接点面であることを特徴とする請求項９に記載のカメラアクセサリ。
【請求項１１】
前記第１のマウント部に設けられた第１の接点保持部は、前記相対回転方向に配置された第１、第２、第３の接点ピンを突出引込み方向に移動可能に保持することを特徴とする請求項７乃至１０のいずれか１項に記載のカメラアクセサリ。
【請求項１２】
前記第１の接点面はカメラとの結合に伴う信号の変化をカメラが検出するための接点面であることを特徴とする請求項７乃至１１のいずれか１項に記載のカメラアクセサリ。
【手続補正２】
【補正対象書類名】明細書
【補正対象項目名】００１３
【補正方法】変更
【補正の内容】
【００１３】
また、本発明の他の一側面としてのカメラは、アクチュエータを有するカメラアクセサリに設けられた第２のマウント部と結合可能な第１のマウント部を有し当該結合されたカメラアクセサリと通信することが可能なカメラであって、前記第１のマウント部は、複数の第１のバヨネット爪を有し、該複数の第１のバヨネット爪の間に前記第２のマウント部に設けられた第２のバヨネット爪が挿入された第１の状態から前記第２のマウント部と相対回転されることにより、前記第１のバヨネット爪と前記第２のバヨネット爪とが係合して前記第２のマウント部との結合を完了する第２の状態となり、前記第２のマウント部に設けられた第２の接点保持部は、前記第２および第１のマウント部の相対回転方向に第１、第２、第３の接点面を当該第１、第２、第３の接点面の順に隣り合って配置して保持し、前記第１のマウント部に設けられた第１の接点保持部は、前記相対回転方向に配置された第１、第２、第３の接点ピンを当該第１、第２、第３の接点ピンの順に隣り合って配置し突出引込み方向に移動可能に保持し、前記第２の状態において、前記第１、第２、第３の接点ピンと前記第１、第２、第３の接点面とがそれぞれ接触することで該カメラと前記カメラアクセサリとが電気的に接続されるようになっており、前記第１の状態から前記第２の状態に移行する際に、前記第３の接点ピンが前記第１の接点面、前記第２の接点面に接触し、前記第２の接点ピンが前記第１の接点面に接触し、さらに、前記第１の接点ピンが前記第２、第３の接点面に接触しないよう前記第１、第２、第３の接点ピンが配され、前記第１の接点ピンはカメラアクセサリの結合に伴う信号の変化の検出に対応するピンであり、前記第２の接点ピンは結合されたカメラアクセサリとの通信電力の供給に対応するピンであり、前記第３の接点ピンは前記カメラアクセサリが有するアクチュエータへの駆動力の供給に対応するピンであることを特徴とする。
【手続補正３】
【補正対象書類名】明細書
【補正対象項目名】００１４
【補正方法】変更
【補正の内容】
【００１４】
また、本発明の他の一側面としてのカメラアクセサリは、カメラに設けられた第１のマウント部に結合可能な第２のマウント部を有するカメラアクセサリであって、光学部材を移動させるためのアクチュエータを備え、前記第２のマウント部は、第２のバヨネット爪を有し、該第２のバヨネット爪が前記第１のマウント部に設けられた複数の第１のバヨネット爪の間に挿入された第１の状態から前記第１のマウント部と相対回転されることにより、前記第２のバヨネット爪と前記第１のバヨネット爪とが係合して前記第１のマウント部との結合を完了する第２の状態となり、前記第２のマウント部に設けられた第２の接点保持部は、前記第２および第１のマウント部の相対回転方向に第１、第２、第３の接点面を当該第１、第２、第３の接点面の順に隣り合って配置して保持し、前記第２の状態において、前記第１、第２、第３の接点面と、第１のマウント部に保持された第１、第２、第３の接点ピンとがそれぞれ接触することで該カメラアクセサリと前記カメラとが電気的に接続されるようになっており、前記第１の状態から前記第２の状態に移行する際に、前記第１の接点面が前記第３の接点ピン、前記第２の接点ピンに接触するとともに、前記第２の接点面が前記第３の接点ピンに接触するように、前記第１、第２、第３の接点面が配され、前記第１の接点面はカメラとの結合を検出するための接点面であり、前記第２の接点面は結合されたカメラからの通信電力の供給を受ける接点面であり、前記第３の接点面は結合されたカメラから前記アクチュエータの駆動力の供給を受ける接点面であることを特徴とする。
【手続補正４】
【補正対象書類名】明細書
【補正対象項目名】００６３
【補正方法】変更
【補正の内容】
【００６３】
したがって、本実施例では、第２の接点をＶＤＤに第３の接点をＶＭとしている。これによれば、仮にレンズ駆動部１０２が動作している際に交換レンズの脱着がなされ得る場合があっても、第３のカメラ側接点ＶＤＤに流れる電流は、カメラ側接点ＶＤＤが流す想定の電流よりも充分に小さくすることができる。交換レンズ脱着の過程で接続される端子は、第２のカメラアクセサリ接点であるＶＤＤと第３のカメラ側接点ＶＭとなり、ＶＤＤに流す電流は、ＶＭのレンズ駆動部１０２の駆動にかかる電流に対応して考えられる電流よりも少ないためである。